(57)【要約】【課題】生体内外の装置をアンテナの設置などで大掛かりにする必要がなく、小型で患者（生体）の負担を軽減した被検体内情報取得システムを提供すること。【解決手段】生体１０の内部に導入されるカプセル型内視鏡１００と、生体１０の外部に配置され、カプセル型内視鏡１００との間で通信を行なう体外装置２００とを備えた被検体内情報取得システムにおいて、カプセル型内視鏡１００は、少なくとも第１のパッド１０９を備え、体外装置２００は、少なくとも第２のパッド２０１を備え、第１のパッド１０９と第２のパッド２０１との間で信号の送受信を行うために、カプセル型内視鏡１００と体外装置２００との少なくともいずれか一方の装置は、いずれか一方の装置のパッドに信号を変調して電圧印加する変調ユニット１０６を備え、他方の装置は、他方の装置のパッドの電位変化から信号復調する復調ユニット２０２を備えている。【選択図】        図３
2007068622.tif 000002
【特許請求の範囲】
【請求項１】
被検体の内部に導入される被検体内導入装置と、前記被検体の外部に配置され、前記被検体内導入装置との間で通信を行なう体外装置とを備えた被検体内情報取得システムにおいて、
前記被検体内導入装置は、少なくとも第１のパッドを備え、
前記体外装置は、少なくとも第２のパッドを備え、
前記第１のパッドと前記第２のパッドとの間で信号の送受信を行うために、前記被検体内導入装置と前記体外装置との少なくともいずれか一方の装置は、いずれか一方の装置の前記パッドに信号を変調して電圧印加する変調手段を備え、
他方の装置は、他方の装置の前記パッドの電位変化から信号復調する復調手段を備えていることを特徴とする被検体内情報取得システム。
【請求項２】
前記被検体内導入装置は、前記被検体の被検部位を撮像して少なくとも映像信号を出力する撮像部を有し、
前記体外装置は、前記映像信号を復調することを特徴とする請求項１に記載の被検体内情報取得システム。
【請求項３】
前記体外装置の前記第２のパッドは、前記被検体の表面に接触するように配置されていることを特徴とする請求項１または２に記載の被検体内情報取得システム。
【請求項４】
前記第１のパッドと前記第２のパッドとの少なくともいずれか一方のパッドの表面に絶縁体が形成されていることを特徴とする請求項１〜３のいずれか一項に記載の被検体内情報取得システム。
【請求項５】
前記第１のパッドは、前記被検体内導入装置の表面に形成されていることを特徴とする請求項１〜４のいずれか一項に記載の被検体内情報取得システム。
【請求項６】
前記被検体内導入装置は、前記被検体の内部へ導入可能な有底の円筒形状に形成された外装部を備えるカプセル型内視鏡であり、
前記第１のパッドは、前記カプセル型内視鏡の表面に形成されていることを特徴とする請求項１〜５のいずれか一項に記載の被検体内情報取得システム。
【請求項７】
前記カプセル型内視鏡から前記体外装置へ、少なくとも映像信号が伝送され、
前記体外装置から前記カプセル型内視鏡へ、少なくとも前記カプセル型内視鏡を駆動するための電力が伝送されることを特徴とする請求項６に記載の被検体内情報取得システム。
【発明の詳細な説明】
【技術分野】
【０００１】
本発明は、被検体内に設置した装置と被検体外に設置した装置との間で、被検体内の情報を通信する被検体内情報取得システムに関する。
【背景技術】
【０００２】
近年、被検体、特に生体内を検査、治療する分野においては、生体内または生体近傍で取得した生体に関する情報を、生体外へ通信する必要がある。生体外へ情報を通信するために、電波通信による構成が提案されている（例えば、特許文献１参照。）。特許文献１においては、生体内情報を得るために生体内に挿入される、生体内センサと送信機を含む装置と、生体内情報を受信する受信機を備えるシステムが開示されている。そして、送信機はワイヤレス送信または電波送信を行なうことで、生体外との情報のやり取りを行なっている。
【０００３】
また、生体の情報を外部へ伝達するために、生体に微弱電流を流して、通信を行なう構成も提案されている（例えば、特許文献２参照。）。特許文献２に開示された装置は、キャリアに信号を重畳して変調を加えた微弱な変調電流を生体に流す変調電流発生手段を有している。また、生体外および／または生体内に配置される受信部は、双方の電極のうち受信側の電極を介して微弱な変調電流を受信するように構成されている。
【０００４】
【特許文献１】特表２００４−５２４０７６号公報
【特許文献２】特許第３３７６４６２号公報
【発明の開示】
【発明が解決しようとする課題】
【０００５】
しかしながら、特許文献１のように、生体内と生体外とを電波により通信する構成では、以下の（１）、（２）、（３）の問題点があり、患者（生体）の負担が大きくなってしまう。
（１）法規制により使用できる周波数には制限があり、生体内外の通信に最適な周波数が任意に選べないこと。
（２）送受信用に生体内外にアンテナを設置する必要がある。そして、電波は生体で減衰等するため、生体外に設置するアンテナは大掛かりで多数必要となる。このため、患者への負担が大きくなってしまうこと。
（３）また、生体における電波の減衰等を考慮すると、高い電波出力が必要となる。このため、生体内外の装置が大型化してしまい、やはり患者への負担が大きくなってしまうこと。
【０００６】
また、特許文献２に記載の構成のように、生体に微弱電流を流して通信するときも、微弱電流を検出し復調するためには、受信側の装置が大型化してしまう。このため、患者（生体）の負担が大きくなってしまうという問題を生ずる。
【０００７】
本発明は、上記に鑑みてなされたものであって、生体内外の装置をアンテナの設置などで大掛かりにする必要がなく、小型で患者（生体）の負担を軽減した被検体内情報取得システムを提供することを目的とする。
【課題を解決するための手段】
【０００８】
上述した課題を解決し、目的を達成するために、本発明によれば、被検体の内部に導入される被検体内導入装置と、被検体の外部に配置され、被検体内導入装置との間で通信を行なう体外装置とを備えた被検体内情報取得システムにおいて、被検体内導入装置は、少なくとも第１のパッドを備え、体外装置は、少なくとも第２のパッドを備え、第１のパッドと第２のパッドとの間で信号の送受信を行うために、被検体内導入装置と体外装置との少なくともいずれか一方の装置は、いずれか一方の装置のパッドに信号を変調して電圧印加する変調手段を備え、他方の装置は、他方の装置のパッドの電位変化から信号復調する復調手段を備えていることを特徴とする被検体内情報取得システムを提供できる。
【０００９】
また、本発明の好ましい態様によれば、被検体内導入装置は、被検体の被検部位を撮像して少なくとも映像信号を出力する撮像部を有し、体外装置は、映像信号を復調することが望ましい。
【００１０】
また、本発明の好ましい態様によれば、体外装置の第２のパッドは、被検体の表面に接触するように配置されていることが望ましい。
【００１１】
また、本発明の好ましい態様によれば、第１のパッドと第２のパッドとの少なくともいずれか一方のパッドの表面に絶縁体が形成されていることが望ましい。
【００１２】
また、本発明の好ましい態様によれば、第１のパッドは、被検体内導入装置の表面に形成されていることが望ましい。
【００１３】
また、本発明の好ましい態様によれば、被検体内導入装置は、被検体の内部へ導入可能な有底の円筒形状に形成された外装部を備えるカプセル型内視鏡であり、第１のパッドは、カプセル型内視鏡の表面に形成されていることが望ましい。
【００１４】
また、本発明の好ましい態様によれば、カプセル型内視鏡から体外装置へ、少なくとも映像信号が伝送され、体外装置からカプセル型内視鏡へ、少なくともカプセル型内視鏡を駆動するための電力が伝送されることが望ましい。
【発明の効果】
【００１５】
本発明に係る被検体内情報取得システムは、被検体内導入装置の第１のパッドと、体外装置の第２のパッドとの間で、一方の装置ではパッドに信号を変調して電圧印加する。また、他方の装置では、パッドの電位変化から信号を復調する。これにより、被検体内導入装置と体外装置との間においては、電波や電流を用いずに情報の通信を行うことができる。このため、例えば、被検体内導入装置から体外装置へ情報を通信するとき、被検体内導入装置に関しては、アンテナや送信回路が不要となる、従って、被検体内導入装置を小型化できる。また、体外装置に関しても、被検体、例えば患者の体の周辺に多数の受信用のアンテナを配置する構成や微弱電流の検出、復調回路が必要ない。従って、生体内外の装置をアンテナの設置などで大掛かりにする必要がない。この結果、小型で患者（生体）の負担を軽減した被検体内情報取得システムを提供することができる。
【発明を実施するための最良の形態】
【００１６】
以下に、本発明に係る被検体内情報取得システムの実施例を図面に基づいて詳細に説明する。なお、この実施例によりこの発明が限定されるものではない。
【実施例１】
【００１７】
図１は、本発明の実施例１に係る被検体内情報取得システムの概略構成を示す図である。被検体として、生体１０、例えば患者の体内情報を取得する場合を示している。カプセル型内視鏡１００は、観察（検査）のために患者の口から飲込まれた後、人体から自然排出されるまでの観察期間、胃、小腸などの臓器の内部をその蠕動運動に伴って移動して順次撮像する機能を有している。
【００１８】
図２は、カプセル型内視鏡１００の概略の外観構成を示している。カプセル型内視鏡１００は、被検体内導入装置に対応する。そして、カプセル型内視鏡１００は、生体１０の内部へ導入可能な有底の円筒形状に形成された外装部１２０を備えている。また、後述する第１のパッド１０９は、カプセル型内視鏡１００の表面に形成されている。また、第１のパッド１０９が形成されている側とは反対側には、ＣＣＤ１０３が形成されている。なお、環状の第２のパッド１１０については、実施例２において後述する。
【００１９】
臓器内の移動による観察期間、カプセル型内視鏡１００によって体内で撮像された画像データは、順次、後述する通信手順により生体外の体外装置２００に送信される。カプセル型内視鏡１００と体外装置２００とで被検体内情報取得システムを構成する。まず、はじめにカプセル型内視鏡１００の構成について説明し、その後、体外装置２００の構成について説明する。
【００２０】
図３は、カプセル型内視鏡１００の機能ブロックを示している。カプセル型内視鏡１００は、生体１０の内部を撮影する際に撮像領域を照射するためのＬＥＤ１０１と、ＬＥＤ１０１の駆動状態を制御するＬＥＤ駆動回路１０２と、ＬＥＤ１０１によって照射された被検体の領域の撮像を行なうＣＣＤ１０３とを備えている。また、カプセル型内視鏡１００は、ＣＣＤ１０３の駆動状態を制御するＣＣＤ駆動回路１０４と、ＣＣＤ１０３によって撮像された画像データ（映像信号）等を処理する第１の信号処理ユニット１０５と、第１の信号処理ユニット１０５からの生体内情報信号を変調する変調ユニット１０６と、変調ユニット１０６からの変調された電圧が印加される第１のパッド１０９と、ＬＥＤ駆動回路１０２、ＣＣＤ駆動回路１０４、第１の信号処理ユニット１０５及び変調ユニット１０６の動作を制御するシステムコントロール回路１０７とを備えている。また、電源ユニット１０８は、カプセル型内視鏡１００内の各ユニット、回路等に対して電力を供給する。
【００２１】
ＣＣＤ１０３は、生体１０内の画像情報などの生体内情報を取得する。ＣＣＤ１０３は、撮像部に対応し、生体内情報センサとしての機能を有する。撮像部としては、ＣＣＤ１０３の他にＣＭＯＳ等を用いることができる。カプセル型内視鏡１００の外装の少なくとも一部の窓１２０ａは、例えば透明な材質で形成されている。ＣＣＤ１０３は、窓１２０ａを介して生体１０の画像を撮像する。
【００２２】
ＣＣＤ１０３は、ＣＣＤ駆動回路１０４に接続されている。ＣＣＤ駆動回路１０４は、ＣＣＤ１０３が生体内情報を取得するための動作信号をＣＣＤ１０３へ出力する。ＣＣＤ１０３は、第１の信号処理ユニット１０５に接続されている。信号処置ユニット１０５は、生体内情報処理装置としての機能を有する。第１の信号処理ユニット１０５は、例えばＣＣＤ１０３からの出力の画像化回路やデータ圧縮回路などで構成されている。そして、第１の信号処理ユニット１０５は、ＣＣＤ１０３の出力信号から生体内情報信号を生成し出力する。
【００２３】
システムコントロール回路１０７を介してＣＣＤ駆動回路１０４と、第１の信号処理ユニット１０５とは、変調ユニット１０６へ接続されている。変調ユニット１０６は、第１の信号処理ユニット１０５の出力信号を変調して第１のパッド１０９に電圧印加する。
【００２４】
第１のパッド１０９は、例えば銅(Ｃｕ)やニッケル(Ｎｉ)などの生体に対して有害な物質を含まない材料で形成されている。一般的には、第１のパッド１０９は、白金(Ｐｔ)や金(Ａｕ)などで形成されている。
【００２５】
第１のパッド１０９は、カプセル型内視鏡１００の外部表面に形成されている。カプセル型内視鏡１００の内部は密封構造となっている。第１のパッド１０９は、カプセル型内視鏡１００の密封状態を保持した状態で、変調ユニット１０６に接続されている。第１のパッド１０９と変調ユニット１０６とは、例えば、カプセル型内視鏡１００の貫通穴（不図示）を通過して接続した後、貫通穴を樹脂や金属などで充填密封して構成する。次に、体外装置２００について説明する。
【００２６】
図４は、体外装置２００の機能ブロックを示している。第２のパッド２０１は、生体１０の体表面に設置されている。そして、第２のパッド２０１は、携帯ユニット２０６内の復調ユニット２０２に接続されている。携帯ユニット２０６は、例えば、生体１０の腰ベルト近傍などに装着されている。
【００２７】
携帯ユニット２０６は、復調ユニット２０２と、第２の信号処理ユニット２０３と、記録ユニット２０５と、電源ユニット２０７とを備えている。復調ユニット２０２は、第２のパッド２０１の表面の電位変化から、第１の信号処理ユニット１０５の出力信号を復調する。
【００２８】
第１のパッド１０５に対して第１の信号処理ユニット１０５の出力信号を変調した電圧印加することによって、第２のパッド２０１表面の電位に変化が生ずる。復調ユニット２０２は、第１の信号処理ユニット１０５の出力信号を復調する。これにより、生体１０内側から外側への通信を実現できる。
【００２９】
第２のパッド２０１は、例えば銅(Ｃｕ)やニッケル(Ｎｉ)などの生体に対して有害な物質を含まない材料形成されている。第２のパッド２０１は、一般的には白金(Ｐｔ)や金(Ａｕ)などで形成されている。
【００３０】
図５は、第２のパッド２０１の断面構造を示している。第２のパッド２０１は、体表面と密着するために、樹脂フィルムやリボンなどの基材２０１ａで、白金(Ｐｔ)や金(Ａｕ)などの薄膜２０１ｂを挟み込んだ構造となっている。さらに、体表面と接触する部分は、例えばシリコン樹脂などの絶縁薄膜２０１ｃが形成されている。体表面と接触する絶縁薄膜２０１ｃの厚さは、例えば１ｍｍ以下などの生体表面の電位を第２の信号処理ユニット２０３で検出できる程度の厚さであることが望ましい。また、生体１０の体表面と第２のパッド２０１との間にゲルやオイルを塗布しても良い。これにより、さらに第２のパッド２０１と体表面との密着度を高くできる。
【００３１】
このように、本実施例では、電流によらない情報通信を行なっているため、第２のパッド２０１を絶縁構造にできる。このため、生体１０に対する安全性を向上できる。
【００３２】
図４に戻って説明を続ける。復調ユニット２０２は、第２の信号処理ユニット２０３に接続されている。第２の信号処理ユニット２０３は、例えば画像情報の補正／強調回路や圧縮データの復元回路などである。第２の信号処理ユニット２０３は、復調ユニット２０２により復調された第１の信号処理ユニット１０５の出力信号に基づいて、必要な生体内情報を得るための信号処理を行う。
【００３３】
また、第２の信号処理ユニット２０３は、表示ユニット２０４に接続されている。表示ユニット２０４は、例えば液晶ディスプレイなどのモニタである。表示ユニット２０４は、第２の信号処理ユニット２０３で処理された生体内情報を表示する。なお、図１では、表示ユニット２０４を携帯ユニット２０６とは別体に設けている。しかしながら、これに限られず、表示ユニット２０４を携帯ユニット２０６に設ける構成でも良い。
【００３４】
復調ユニット２０２または第２の信号処理ユニット２０３には、記録ユニット２０５が接続されている。記録ユニット２０５は、例えば半導体メモリなどで構成されている。記録ユニット２０５は、復調ユニット２０２により復調された第１の信号処理ユニット１０５の出力信号または第２の信号処理ユニット２０３で処理された生体内情報を記録、保管する。
【００３５】
また、電源ユニット２０７は、復調ユニット２０２と、第２の信号処理ユニット２０３と、記録ユニット２０５とに電力を供給する。
【００３６】
本実施例によれば、カプセル型内視鏡１００と体外装置２００とは、電波や電流によらずに、生体内情報を体外へ通信できる。本願の発明者らは、静電誘導等により、情報を通信できるものと考えている。そして、発明者らは、実際の装置を作成し、上述したような通信が可能であることを実験的に確認、検証している。
【００３７】
このように、本実施例では、カプセル型内視鏡１００及び体外装置２００において、それぞれアンテナや送信回路の設置などで大型化する必要がない。このため、生体１０、例えば患者の負担を軽減した小型な被検体内情報取得システムを提供できる。
【実施例２】
【００３８】
図６は、本発明の実施例２におけるカプセル型内視鏡３００の機能ブロックを示している。また、図７は、実施例２における体外装置４００の機能ブロックを示している。カプセル型内視鏡３００と体外装置４００とで被検体内情報取得システムを構成している。本実施例において、実施例１と同一の部分には、同一の符号を付し、重複する説明は省略する。
【００３９】
本実施例では、カプセル型内視鏡３００から体外装置４００へ画像データを通信すると共に、さらに体外装置４００からカプセル内視鏡３００へは電力や制御信号を通信（伝送）している点が実施例１と異なる。
【００４０】
本実施例では、カプセル型内視鏡３００側に形成された第１のパッド１０９と、体外装置４００側に形成された第２のパッド２０１とは、静電結合するように対向する位置に配置されている。同様に、カプセル型内視鏡３００側に形成された第３のパッド１１０と、体外装置４００側に形成された第４のパッド２１４とは、静電結合するように対向する位置に配置されている。
【００４１】
また、本実施例では、図２に示すように、第１のパッド１０９を構成する導電体の外周に環状の第３のパッド１１０を構成する導電体を形成している。しかしながら、これに限られず、第１のパッド１０９と第３のパッド１１０とを横に並べて配置する等の他の配置構成をとることもできる。
【００４２】
さらに、カプセル型内視鏡３００側の第１の変調ユニット１０６と、体外装置４００側の第２の変調ユニット２１３とで、それぞれ異なる変調周波数を用いることで、第１のパッド１０９と第３のパッド１１０とを一つのパッドで兼用すること、即ち一つの導電体で済む構成とすることもできる。
【００４３】
そして、上記実施例１と同様に、第１のパッド１０９に信号処理ユニット１０５の出力を変調した電圧を印加する。これに応じて生ずる第２のパッド２０１の表面の電位変化から、第１の復調ユニット２０２は、信号処理ユニット１０５の出力信号を復調する。これにより、カプセル型内視鏡３００から体外装置４００への映像信号等の通信(伝送）を行なうことができる。
【００４４】
次に、体外装置４００からカプセル型内視鏡３００への信号の通信について説明する。図７において、体外装置４００は、電源信号発生器２１０と、ＣＣＤ制御ユニット２１２と、信号多重ユニット２１１とを備えている。電源信号発生器２１０は、所定の周波数の電源電圧信号を出力する。ＣＣＤ制御ユニット２１２は、ＣＣＤ１０３への制御信号、例えば、ＣＣＤ感度の制御信号等を出力する。
【００４５】
信号多重ユニット２１１は、電源信号発生器２１０が出力した電圧信号に対して、ＣＣＤ制御ユニット２１２が出力したＣＣＤ１０３への制御信号を重畳し出力する。信号多重ユニット２１１は、第２の変調ユニット２１３に接続されている。また、第２の変調ユニット２１３は、第４のパッド２１４に接続されている。第２の変調ユニット２１３は、信号多重ユニット２１１の出力信号を変調して第４のパッド２１４に電圧印加する。
【００４６】
次に、図６に戻って説明を続ける。第３のパッド１１０は、カプセル型内視鏡３００内に設けられている共振ユニット１１１に接続されている。共振ユニット１１１は、電気的共振により第３のパッド１１０の電位変化から第２の変調ユニット２１３が変調した周波数成分を抽出し出力する。
【００４７】
共振ユニット１１１は、信号分離ユニット１１２に接続されている。信号分離ユニット１１２は、第２の復調ユニット１１３と第３の復調ユニット１１４とに接続されている。
【００４８】
信号分離ユニット１１２は、共振ユニット１１１により抽出し出力した第３のパッド１１０の電位変化を、電圧信号成分と、ＣＣＤ１０３への制御信号成分とに分離する。そして、信号分離ユニット１１２は、電源電圧信号成分を第２の復調ユニット１１３へ出力する。また、信号分離ユニット１１２は、ＣＣＤ１０３への制御信号成分を第３の復調ユニット１１４に出力する。
【００４９】
第２の復調ユニット１１３は、信号分離ユニット１１２が出力した第３のパッド１１０の電位変化電圧の信号成分に基づいて、電源信号発生器２１０が出力した電圧信号を復調する。
【００５０】
第２の復調ユニット１１３は、電源ユニット１０８に接続されている。電源ユニット１０８は、第２の復調ユニット１１３が復調した電圧信号から、システムコントロール回路１０８を介して、カプセル型内視鏡３００内の各ユニット、回路等を動作させるための電源を供給する。
【００５１】
このように、第４のパッド２１４に電源信号発生器２１０が出力した電圧信号に、ＣＣＤ制御ユニット２１２が出力したＣＣＤ１０３へ制御信号を重畳した信号を変調した電圧を印加する。そして、カプセル型内視鏡３００側では、これにより生じた第３のパッド１１０の表面の電位変化から、電源信号発生器２１０が出力した電圧信号を分離、復調する。これにより、体外装置４００からカプセル型内視鏡３００へ電力を供給できる。この結果、本実施例の被検体内情報取得システムでは、例えば、電磁誘導による電力供給と比較しても巻線等でシステムを大型化することがない。また、カプセル型内視鏡３００に必要な気密かつ水密な構成を実現できる。
【００５２】
さらに、第３の復調ユニット１１４は、信号分離ユニット１１２が出力した第３のパッド１１０の電位電圧変化の信号成分から、ＣＣＤ制御ユニット２１２が出力したＣＣＤ１０３の制御信号を復調する。
【００５３】
第３の復調ユニット１１４は、ＣＣＤ駆動回路１０４に接続されている。復調されたＣＣＤ制御ユニット２１２からのＣＣＤ１０３への制御信号、例えば、感度制御の指示信号等に基づき、ＣＣＤ１０３を駆動する。
【００５４】
このように、第４のパッド２１４に、電源信号発生器２１０が出力した電圧信号に、ＣＣＤ制御ユニット２１２が出力したＣＣＤ１０３への制御信号を重畳した信号を変調した電圧を印加する。そして、カプセル型内視鏡３００側では、これにより生じた第３のパッド１１０の表面の電位変化から、ＣＣＤ制御ユニット２１２が出力したＣＣＤ１０３への制御信号を分離、復調する。これにより、体外装置４００からカプセル型内視鏡３００への信号通信を実現できる。この結果、本実施例の被検体内情報取得システムでは、電波送受信のためのアンテナの設置等でシステムを大型化することがない。また、カプセル型内視鏡３００に必要な気密かつ水密な構成を実現できる。
【００５５】
次に、本実施例における上述の信号の流れをフローチャートに基づいて、さらに詳細に説明する。図８、図９は、それぞれ本実施例における信号の流れを示すフローチャートである。
【００５６】
ステップＳ８０１において、電源信号発生器２１０は、信号多重ユニット２１１へ所定の周波数の電源電圧信号を出力する。ステップＳ８０２において、ＣＣＤ制御ユニット２１２は、信号多重ユニット２１１に対してＣＣＤ１０３への制御信号を出力する。
【００５７】
ステップＳ８０３において、信号多重ユニット２１１は、電源信号発生器２１０が出力した電圧信号に、ＣＣＤ制御ユニット２１２が出力したＣＣＤ１０３への制御信号を重畳し、第２の変調ユニット２１３へ出力する。
【００５８】
ステップＳ８０４において、第２の変調ユニット２１３は、信号多重ユニット２１１の出力信号を変調して第４のパッド２１４へ電圧印加する。ステップＳ８０５において、第４のパッド２１４に印加された信号多重ユニット２１１の出力信号を変調した電圧により、第３のパッド１１０の表面の電位が変化する。
【００５９】
ステップＳ８０６において、共振ユニット１１１は、電気的共振により第３のパッド１１０の電位変化から第２の変調ユニット２１３が変調出力した周波数成分を抽出し、信号分離ユニット１１２に出力する。
【００６０】
ステップＳ８０７において、信号分離ユニット１１２は、共振ユニット１１１により抽出した第３のパッド１１０の電位変化を、電源電圧信号成分とＣＣＤ１０３への制御信号成分とに分離する。
【００６１】
ステップＳ８０８において、信号分離ユニット１１２は、信号分離ユニット１１２で分離した電源電圧信号成分を第２の復調ユニット１１３に出力する。ステップＳ８０９において、第２の復調ユニット１１３は、第３のパッド１１０の電位変化から、電源信号発生器２１０が出力した電源電圧信号を復調する。そして、復調された電源電圧信号（電力）は、電源ユニット１０８を介して、カプセル型内視鏡３００内の各ユニット、各回路等に供給される。
【００６２】
また、ステップＳ８１０において、信号分離ユニット１１２は、ＣＣＤ１０３への制御信号成分を第３の復調ユニット１１４へ出力する。ステップＳ８１１において、第３の復調ユニット１１４は、第３のパッド１１０の電位変化から、ＣＣＤ制御ユニット２１２が出力したＣＣＤ１０３への制御信号を復調する。そして、第３の復調ユニット１１４は、ＣＣＤ駆動回路１０４に対して復調した制御信号を出力する。
【００６３】
次に、図９のステップＳ８１２において、ＣＣＤ駆動回路１０４がＣＣＤ１０３へ駆動信号を出力する。ステップＳ８１３において、ＣＣＤ１０３は、生体内情報を取得（撮像）する。そして、ＣＣＤ１０３は、取得した生体内情報を信号処理ユニット１０５へ出力する。
【００６４】
ステップＳ８１４において、信号処理ユニット１０５は、ＣＣＤ１０３の出力信号から生体内情報信号を生成する。そして、信号処理ユニット１０５は、生成した生体内情報信号を第１の変調ユニット１０６へ出力する。
【００６５】
ステップＳ８１５において、第１の変調ユニット１０６は、信号処理ユニット１０５の出力信号を変調する。そして、第１の変調ユニット１０６は、変調した出力信号に応じて第１のパッド１０９に電圧印加する。
【００６６】
ステップＳ８１６において、第１のパッド１０９に印加された信号処理ユニット１０５の出力信号を変調した電圧により、第２のパッド２０１の表面の電位が変化する。ステップＳ８１７において、第１の復調ユニット２０２は、第２のパッド２０１の表面の電位変化に基づいて、信号処理ユニット１０５の出力信号を復調する。そして、第１の復調ユニット２０２は、復調された出力信号を第２の信号処理ユニット２０３に出力する。
【００６７】
ステップＳ８１８において、第２の信号処理ユニット２０３は、第１の復調ユニット２０２により復調された信号処理ユニット１０５の出力信号から、必要な生体内情報を得るための信号処理を行なう。
【００６８】
ステップＳ８１９において、第２の信号処理ユニット２０３は、信号処理で得られた生体内情報を表示ユニット２０４へ出力する。ステップＳ８２０において、表示ユニット２０４は、生体内情報を表示する。
【００６９】
ステップＳ８２１において、第２の信号処理ユニット２０３は、信号処理で得られた生体内情報を記録ユニット２０５へ出力する。ステップＳ８２２において、記録ユニット２０５は、生体内情報を記録、保管する。
【００７０】
次に、変調周波数の最適化について説明する。第１の復調ユニット２０２で復調された第２の信号処理ユニットからの出力信号の状態（Ｓ／Ｎ比）に基づいて、第１の変調ユニット１０６が信号処理ユニット１０５の出力信号を変調して第１のパッド１０９に電圧印加するときの変調周波数を決定することができる。
【００７１】
例えば、第１の変調ユニット１０６により初期変調周波数を基準にして、初期変調周波数よりも低い側と高い側とに変調周波数を変化させる。初期変調周波数とは、実験等で求めた、一般的に第２の信号処理ユニット２０３の出力信号の状態が良い周波数を言う。
【００７２】
そして、第１の復調ユニット２０２により復調された第２の信号処理ユニット２０３の出力信号の状態、例えばＳ／Ｎ等が良くなる周波数を最適周波数として決定する。
【００７３】
また、変調周波数の変更は、変更する周波数を無作為に決定することとしても良いが、いわゆる山登り法（最急勾配法）を用いることによっても、より迅速に最適な変調周波数の調整を行なうこととしても良い。この他にも、任意のアルゴリズムを用いて変更する周波数を決定することができる。
【００７４】
このような、最適周波数決定の手順を図９のフローチャートに基づいて説明する。ステップＳ８１７の次に、ステップＳ８２３において、第１の復調ユニット２０２により復調された第２の信号処理ユニット２０３の出力信号の状態（Ｓ／Ｎ等）を前回の状態と比較する。今回の状態が前回の状態よりも良いとき、ステップＳ８２４において変調周波数を今回の周波数へ変更する。そして、ステップＳ８１５へ戻る。前回の状態が今回の状態よりも良いとき、ステップＳ８１５へ戻る。このように、図９において、点線で囲んだ部分の手順が変調周波数の最適化手順に相当する。
【００７５】
これによれば、生体１０の個人差や日時による生体の状態の差等の影響を低減して、カプセル型内視鏡３００と体外装置４００とのより良好な通信を実現できる。
【００７６】
また、上記各実施例のカプセル型内視鏡は、ＬＥＤ、ＣＣＤ等を備えることによって、生体の内部の画像を撮像する構成としている。しかしながら、被検体内に導入される被検体内導入装置は、かかる構成に限定されるものではなく、例えば被検体内の温度情報やｐＨ情報などの他の生体情報を取得するものとしても良い。
【００７７】
また、本発明は、飲み込み型のカプセル型内視鏡に限られず、一般の体内へ挿入する型の内視鏡に適用することができる。この場合、体内の温度等の情報を本システムにより体外へ容易に通信できると共に、内視鏡の気密性を向上できる。また、本発明は、いわゆる心臓のペースメーカに適用することもできる。例えば、本システムにより、ペースメーカの駆動のための情報を体外からぺースメーカに対して通信できる。さらに、ペースメーカ内に記録されている履歴情報等を装着者に負担を強いることなく体外へ通信できる。
【００７８】
また、上記各実施例では、被検体として、生体を検査、観察する例を示している。しかしながら、本発明は、これに限られず、例えば工業用製品を被検体としても良い。
【産業上の利用可能性】
【００７９】
以上のように、本発明に被検体内情報取得システムは、小型で、患者（生体）の負担を軽減する場合に有用である。
【図面の簡単な説明】
【００８０】
【図１】本発明の実施例１に係る被検体内情報取得システムの全体構成を示す図である。
【図２】実施例１におけるカプセル型内視鏡の外観構成を示す図である。
【図３】実施例１のカプセル型内視鏡の機能ブロックを示す図である。
【図４】実施例１の体外装置の機能ブロックを示す図である。
【図５】実施例１の体外装置のパッドの断面構成を示す図である。
【図６】実施例２のカプセル型内視鏡の機能ブロックを示す図である。
【図７】実施例２の体外装置の機能ブロックを示す図である。
【図８】実施例２における信号の流れを示すフローチャートである。
【図９】実施例２における信号の流れを示す他のフローチャートである。
【符号の説明】
【００８１】
１０  生体
１００  カプセル型内視鏡
１０１  ＬＥＤ
１０２  ＬＥＤ駆動回路
１０３  ＣＣＤ
１０４  ＣＣＤ駆動回路
１０５  第１の信号処理ユニット
１０６  変調ユニット
１０７  システムコントロール回路
１０８  電源ユニット
１０９  第１のパッド
１１０  第３のパッド
１１１  共振ユニット
１１２  信号分離ユニット
１１３  第２の復調ユニット
１１４  第３の復調ユニット
１２０ａ  窓
１２０  外装部
２００  体外装置
２０１  第２のパッド
２０１ａ  基材
２０１ｂ  薄膜
２０１ｃ  絶縁薄膜
２０２  （第１の）復調ユニット
２０３  第２の信号処理ユニット
２０４  表示ユニット
２０５  記録ユニット
２０６  携帯ユニット
２０７  電源ユニット
２１０  電源信号発生器
２１１  信号多重ユニット
２１２  ＣＣＤ制御ユニット
２１３  第２の変調ユニット
２１４  第４のパッド
３００  カプセル型内視鏡
４００  体外装置
【図１】
2007068622.tif 000003
【図２】
2007068622.tif 000004
【図３】
2007068622.tif 000005
【図４】
2007068622.tif 000006
【図５】
2007068622.tif 000007
【図６】
2007068622.tif 000008
【図７】
2007068622.tif 000009
【図８】
2007068622.tif 000010
【図９】
2007068622.tif 000011